Podtech/llm-jp-corpus-v4-ja_patent huggingface dataset:
【手続補正書】
【提出日】平成30年9月3日(2018.9.3)
【手続補正１】
【補正対象書類名】特許請求の範囲
【補正対象項目名】全文
【補正方法】変更
【補正の内容】
【特許請求の範囲】
【請求項１】
活性エネルギー線重合性モノマーと、非反応性樹脂と、を含有するインクジェット用インクとして用いられる活性エネルギー線硬化型インク組成物であって、
ＪＩＳ  Ｋ  ００７０：１９９２に基づいて測定された前記非反応性樹脂の酸価が３．０ｍｇＫＯＨ／ｇ以下である、活性エネルギー線硬化型インク組成物。
【請求項２】
前記非反応性樹脂の含有量が前記活性エネルギー線硬化型インク組成物の全量中０．１質量％以上５質量％以下である、請求項１に記載の活性エネルギー線硬化型インク組成物。
【請求項３】
前記非反応性樹脂の数平均分子量が１０万以下である、請求項１又は２に記載の活性エネルギー線硬化型インク組成物。
【請求項４】
前記非反応性樹脂がセルロース系樹脂、（メタ）アクリル系樹脂、及びポリオール系樹脂からなる群より選択される少なくとも１種の樹脂である、請求項１から３のいずれかに記載の活性エネルギー線硬化型インク組成物。
【請求項５】
前記活性エネルギー線重合性モノマーの少なくとも１種は（メタ）アクリル酸エステルである、請求項１から４のいずれかに記載の活性エネルギー線硬化型インク組成物。
【請求項６】
ＪＩＳ  Ｋ  ００７０：１９９２に基づいて測定された前記活性エネルギー線重合性モノマーの酸価が、１．０ｍｇＫＯＨ／ｇ以下である、請求項１から５のいずれかに記載の活性エネルギー線硬化型インク組成物。
【請求項７】
請求項１から６のいずれかに記載の活性エネルギー線硬化型インク組成物を６０℃２８日放置し、保管試験前の前記活性エネルギー線硬化型インク組成物の４０℃における粘度Ｖａ（単位はｍＰａ・ｓ）と保管試験後の前記活性エネルギー線硬化型インク組成物の４０℃における粘度Ｖｂ（単位はｍＰａ・ｓ）の比である（Ｖｂ−Ｖａ）／Ｖａ×１００（単位は％）が−１０％超１０％未満である、活性エネルギー線硬化型インク組成物。
【請求項８】
基材上に、請求項１から７のいずれかに記載の活性エネルギー線硬化型インク組成物の硬化膜であるインク硬化膜層が形成された積層体。
【請求項９】
請求項１から７のいずれかに記載の活性エネルギー線硬化型インク組成物を使用して基材上に画像及び／又は凹凸像を形成する像形成方法。
【請求項１０】
請求項１から７のいずれかに記載の活性エネルギー線硬化型インク組成物を使用して基材上に画像及び／又は凹凸像を形成する印刷物の製造方法。
【請求項１１】
前記非反応性樹脂がセルロース系樹脂である、請求項１から７のいずれかに記載の活性エネルギー線硬化型インク組成物。
【請求項１２】
前記活性エネルギー線重合性モノマーは、単官能（メタ）アクリル酸エステル、及び／又は二官能（メタ）アクリル酸エステルであり、
前記非反応性樹脂の含有量が前記活性エネルギー線硬化型インク組成物の全量中０．１質量％以上５質量％以下である、請求項１から７及び１１のいずれかに記載の活性エネルギー線硬化型インク組成物。
【手続補正書】
【提出日】平成30年7月9日(2018.7.9)
【手続補正１】
【補正対象書類名】特許請求の範囲
【補正対象項目名】全文
【補正方法】変更
【補正の内容】
【特許請求の範囲】
【請求項１】
表面を有し、前記表面は、すくい面および逃げ面を含み、前記すくい面および前記逃げ面の境界部分が切れ刃を成す表面被覆切削工具であって、
基材と、
前記基材の表面を被覆する被膜と、を備え、
前記被膜は、ＮａＣｌ型結晶構造のＴｉＡｌＮ層を有し、
前記ＴｉＡｌＮ層のうち、前記切れ刃に位置する切れ刃領域の組成をＴｉ1-XEＡｌXEＮとし、前記すくい面に位置するすくい面領域の組成をＴｉ1-XRＡｌXRＮとし、かつ前記逃げ面に位置する逃げ面領域の組成をＴｉ1-XFＡｌXFＮとした場合に、
０．６５＜ＸＲ≦０．９、０．６５＜ＸＦ≦０．９、０．４≦ＸＥ≦０．７、ＸＲ−ＸＥ≧０．２、およびＸＦ−ＸＥ≧０．２を満たす、表面被覆切削工具。
【請求項２】
前記ＴｉＡｌＮ層において、（１１１）面の配向性指数ＴＣ（１１１）は、１．０＜ＴＣ（１１１）≦４．０を満たす、請求項１に記載の表面被覆切削工具。
【請求項３】
前記ＴｉＡｌＮ層は、１μｍ以上１０μｍ以下の厚みを有する、請求項１または請求項２に記載の表面被覆切削工具。
【請求項４】
前記被膜は、３μｍ以上１５μｍ以下の厚みを有する、請求項１から請求項３のいずれか１項に記載の表面被覆切削工具。
【請求項５】
請求項１から請求項４のいずれか１項に記載の表面被覆切削工具の製造方法であって、
反応炉内に配置された前記基材上に、ＣＶＤ法により前記ＴｉＡｌＮ層を形成するＴｉＡｌＮ層形成工程を含み、
前記ＴｉＡｌＮ層形成工程は、
ＴｉおよびＡｌを含む第１原料ガスおよびアンモニアを含む第２原料ガスを、前記基材が配置された前記反応炉内に供給する第１工程を含み、
前記第１工程において、
前記切れ刃領域に対応する前記基材の表面に到達する前記Ａｌの量は、前記すくい面領域に対応する基材の表面に到達する前記Ａｌの量および前記逃げ面領域に対応する基材の表面に到達する前記Ａｌの量の各々よりも少ない、表面被覆切削工具の製造方法。
【請求項６】
前記第１原料ガスおよび前記第２原料ガスは、それぞれ第１配管の貫通孔および第２配管の貫通孔を介して前記反応炉内に噴出され、
前記基材の前記切れ刃領域に対応する表面と、前記貫通孔から噴出された各ガスとの間に遮蔽板が配置される、請求項５に記載の表面被覆切削工具の製造方法。
【手続補正書】
【提出日】平成30年10月5日(2018.10.5)
【手続補正１】
【補正対象書類名】特許請求の範囲
【補正対象項目名】全文
【補正方法】変更
【補正の内容】
【特許請求の範囲】
【請求項１】
遊技者が操作可能な操作手段と、
遊技中の演出を実行する演出実行手段と、
表示態様が変化可能な可変表示装置と、
前記可変表示装置の表示結果が予め定められた特定態様となった場合に遊技者に有利な利益状態を発生させる利益状態発生手段と、を備える遊技機であって、
前記遊技中の演出には、所定リーチ演出を含む複数のリーチ演出と、前記所定リーチ演出中に行われる特定演出とが含まれており、
前記演出実行手段は、
遊技者による前記操作手段の操作の結果、前記遊技中の演出に変化を生じさせる特定条件を満たす場合に前記特定演出を実行可能な特定演出実行手段を有し、
前記特定演出実行手段は、
前記所定リーチ演出中の特定タイミングにおいて前記特定条件を満たしている場合、前記特定演出を実行し、
前記所定リーチ演出中の特定タイミングにおいて前記特定条件が成立していない場合、前記特定演出を実行せず、
前記特定条件は、前記所定リーチ演出の開始後も充足可能に構成される
ことを特徴とする遊技機。
【請求項２】
前記特定演出実行手段は、
前記所定リーチ演出前に前記操作手段による所定操作が行われていない場合であっても、前記所定リーチ演出の開始後に前記操作手段による所定操作が行われた場合、前記特定条件を充足したとして当該所定リーチ演出中に前記特定演出を実行可能とした
ことを特徴とする請求項１に記載の遊技機。
【請求項３】
遊技領域に遊技球を発射する発射手段と、
前記発射手段による遊技球の発射を検出する発射検出手段と、を備え、
前記特定演出実行手段は、
前記所定リーチ演出の開始前に前記発射検出手段が遊技球の発射を検出していない場合であっても、前記所定リーチ演出の開始後に前記発射検出手段が遊技球の発射を検出した場合、前記特定条件を充足したとして当該所定リーチ演出中に前記特定演出を実行可能とした
ことを特徴とする請求項１または２に記載の遊技機。
【請求項４】
遊技領域に遊技球を発射するための発射操作手段と、
前記発射操作手段に対する遊技者の接触を検出する接触検出手段と、を備え、
前記特定演出実行手段は、
前記所定リーチ演出の開始前に前記発射操作手段に遊技者が接触していない場合であっても、前記所定リーチ演出の開始後に前記発射操作手段に遊技者が接触した場合、前記特定条件を充足したとして当該所定リーチ演出中に前記特定演出を実行可能とした
ことを特徴とする請求項１〜３の何れかに記載の遊技機。
【請求項５】
始動口への遊技球の入賞を契機とする始動記憶を所定数まで記憶可能な始動記憶手段を備え、
前記特定演出実行手段は、
前記所定リーチ演出の開始前に前記始動記憶がＮ個に達していない場合であっても、前記所定リーチ演出の開始後に前記始動記憶がＮ個に達した場合、前記特定条件を充足したとして当該所定リーチ演出中に前記特定演出を実行可能とした
ことを特徴とする請求項１〜４の何れかに記載の遊技機。
【手続補正２】
【補正対象書類名】明細書
【補正対象項目名】０００５
【補正方法】変更
【補正の内容】
【０００５】
本発明は、遊技者が操作可能な操作手段と、遊技中の演出を実行する演出実行手段と、表示態様が変化可能な可変表示装置と、前記可変表示装置の表示結果が予め定められた特定態様となった場合に遊技者に有利な利益状態を発生させる利益状態発生手段と、を備える遊技機であって、前記遊技中の演出には、所定リーチ演出を含む複数のリーチ演出と、前記所定リーチ演出中に行われる特定演出とが含まれており、前記演出実行手段は、遊技者による前記操作手段の操作の結果、前記遊技中の演出に変化を生じさせる特定条件を満たす場合に前記特定演出を実行可能な特定演出実行手段を有し、前記特定演出実行手段は、前記所定リーチ演出中の特定タイミングにおいて前記特定条件を満たしている場合、前記特定演出を実行し、前記所定リーチ演出中の特定タイミングにおいて前記特定条件が成立していない場合、前記特定演出を実行せず、前記特定条件は、前記所定リーチ演出の開始後も充足可能に構成したものである。
また、前記特定演出実行手段は、前記所定リーチ演出前に前記操作手段による所定操作が行われていない場合であっても、前記所定リーチ演出の開始後に前記操作手段による所定操作が行われた場合、前記特定条件を充足したとして当該所定リーチ演出中に前記特定演出を実行可能としてもよい
また、遊技領域に遊技球を発射する発射手段と、前記発射手段による遊技球の発射を検出する発射検出手段とを備え、前記特定演出実行手段は、前記所定リーチ演出の開始前に前記発射検出手段が遊技球の発射を検出していない場合であっても、前記所定リーチ演出の開始後に前記発射検出手段が遊技球の発射を検出した場合、前記特定条件を充足したとして当該所定リーチ演出中に前記特定演出を実行可能としてもよい。
また、遊技領域に遊技球を発射するための発射操作手段と、前記発射操作手段に対する遊技者の接触を検出する接触検出手段とを備え、前記特定演出実行手段は、前記所定リーチ演出の開始前に前記発射操作手段に遊技者が接触していない場合であっても、前記所定リーチ演出の開始後に前記発射操作手段に遊技者が接触した場合、前記特定条件を充足したとして当該所定リーチ演出中に前記特定演出を実行可能としてもよい。
また、始動口への遊技球の入賞を契機とする始動記憶を所定数まで記憶可能な始動記憶手段を備え、前記特定演出実行手段は、前記所定リーチ演出の開始前に前記始動記憶がＮ個に達していない場合であっても、前記所定リーチ演出の開始後に前記始動記憶がＮ個に達した場合、前記特定条件を充足したとして当該所定リーチ演出中に前記特定演出を実行可能としてもよい。
【手続補正書】
【提出日】平成30年9月10日(2018.9.10)
【手続補正１】
【補正対象書類名】特許請求の範囲
【補正対象項目名】全文
【補正方法】変更
【補正の内容】
【特許請求の範囲】
【請求項１】
第１オブジェクトを選出するための条件と、当該条件を満たす前記第１オブジェクトを選出する場合に用いられるパラメータと、が各々に関連付けられた１以上の第２オブジェクトの選択を受け付ける選択受付手段と、
前記選択受付手段により複数の前記第２オブジェクトの選択を受け付けた場合、当該複数の第２オブジェクトにそれぞれ関連付けられた複数の前記パラメータを用いて、当該複数の第２オブジェクトにそれぞれ関連付けられた複数の前記条件を満たす前記第１オブジェクトが選出される可能性に関する情報を通知する通知手段と、
前記複数のパラメータを用いて、前記複数の条件を満たす前記第１オブジェクトを選出する選出手段と、
を含むことを特徴とするゲームシステム。
【請求項２】
前記通知手段は、前記複数の条件の全てを満たす前記第１オブジェクトが選出される可能性に関する情報を通知する、
ことを特徴とする請求項１に記載のゲームシステム。
【請求項３】
前記選出手段は、前記複数の条件の全てを満たす前記第１オブジェクトが選出されなかった場合は、前記複数の条件の一部を満たす前記第１オブジェクトを選出し、前記通知手段は、前記複数の条件の一部を満たす前記第１オブジェクトが選出される可能性に関する情報を更に通知する、
ことを特徴とする請求項２に記載のゲームシステム。
【手続補正書】
【提出日】平成30年10月18日(2018.10.18)
【手続補正１】
【補正対象書類名】特許請求の範囲
【補正対象項目名】全文
【補正方法】変更
【補正の内容】
【特許請求の範囲】
【請求項１】
人形体の関節構造であって、
胸部中央パーツと、       
胸部の左右いずれかの側方に位置し、前記胸部の一部又は前記胸部の外観を構成し、前記胸部中央パーツに対し回動可能な胸部側方パーツと、
前記胸部側方パーツに対し回動可能な腕用パーツと、
を備え、
前記胸部側方パーツを前記胸部中央パーツに対して回動させると、胸部の正面の左右方向の幅が狭くなる人形体の関節構造。
【請求項２】
前記胸部中央パーツと前記胸部側方パーツとは、前記胸部側方パーツの回動時に、部分的に一方が外側、他方が内側に重なるように構成された、
請求項１に記載の人形体の関節構造。
【請求項３】
前記胸部側方パーツは、前記胸部中央パーツ寄りの端部に回動時に前記胸部中央パーツとの接触を回避するためのテーパ面を有する、
請求項２に記載の人形体の関節構造。
【請求項４】
前記胸部側方パーツが前記腕用パーツを支持する支持部を有する、
請求項１乃至３のいずれか１項に記載の人形体の関節構造。
【手続補正２】
【補正対象書類名】明細書
【補正対象項目名】０００８
【補正方法】変更
【補正の内容】
【０００８】
本発明に係る人形体の関節構造は、人形体の関節構造であって、躯幹を構成する第１パーツ（例えば、図８の胸部２０、図１４の腹部３０）と、四肢を構成し、前記第１パーツに対し回動可能な第２パーツ（例えば、図８の上腕部４０、図１４の大腿部４４）と、前記躯幹の一部又は前記躯幹の外観を構成し、前記第１パーツに対し回動可能な第３パーツであって、前記第２パーツと前記第１パーツとの成す角度を低減させるように回動した場合に、前記第２パーツの当該回動に合わせて当該成す角度を低減させる方向に回動可能に  構成された第３パーツ（例えば、図８の胸部２０の左方胸部パーツ２４及び右方胸部パーツ２６、図１４及び図２１の大垂部８１、左前垂部８３、右前垂部８４）と、を備えている。また、本発明に係る人形体の関節構造は、胸部中央パーツと、胸部の左右いずれかの側方に位置し、前記胸部の一部又は前記胸部の外観を構成し、前記胸部中央パーツに対し回動可能な胸部側方パーツと、前記胸部側方パーツに対し回動可能な腕用パーツと、を備え、前記胸部側方パーツを前記胸部中央パーツに対して回動させると、胸部の正面の左右方向の幅が狭くなる。
【手続補正３】
【補正対象書類名】明細書
【補正対象項目名】０００９
【補正方法】変更
【補正の内容】
【０００９】
また、本発明は、前記第１パーツと前記第３パーツとは、前記成す角度を低減させる方向への前記第３パーツの回動時に、部分的に一方が外側、他方が内側に重なるように構成としてもよい。また、本発明に係る人形体の関節構造においては、前記胸部中央パーツと前記胸部側方パーツとは、前記胸部側方パーツの回動時に、部分的に一方が外側、他方が内側に重なるように構成してもよい。
【手続補正４】
【補正対象書類名】明細書
【補正対象項目名】００１０
【補正方法】変更
【補正の内容】
【００１０】
また、本発明は、前記第３パーツが、前記第１パーツ寄りの端部に、回動時に前記第１パーツとの接触を回避するためのテーパ面を有してもよい。また、本発明に係る人形体の関節構造においては、前記胸部側方パーツは、前記胸部中央パーツ寄りの端部に回動時に前記胸部中央パーツとの接触を回避するためのテーパ面を有するようにしてもよい。
【手続補正５】
【補正対象書類名】明細書
【補正対象項目名】００１３
【補正方法】変更
【補正の内容】
【００１３】
また、本発明は、前記第３パーツが前記第２パーツを支持する支持部を有してもよい。また、本発明に係る人形体の関節構造においては、前記胸部側方パーツが前記腕用パーツを支持する支持部を有するようにしてもよい。
【手続補正書】
【提出日】平成30年9月14日(2018.9.14)
【手続補正１】
【補正対象書類名】特許請求の範囲
【補正対象項目名】全文
【補正方法】変更
【補正の内容】
【特許請求の範囲】
【請求項１】
ベース部材と、前記ベース部材に着脱可能なフレイム部材と、前記ベース部材と前記フレイム部材との間に着脱可能に挟み込み可能なピクチャー部材とを備え、
前記ピクチャー部材は、表面に絵柄が設けられ、
前記フレイム部材は、前記絵柄の輪郭に対応した形状の露出孔を有する観賞用物品。
【請求項２】
請求項１において、
前記露出孔は、輪郭を表す主枠線と、内側模様を表す副枠線とを備える観賞用物品。
【請求項３】
請求項１または請求項２において、
前記ベース部材と前記ピクチャー部材とは透光性を有する観賞用物品。
【請求項４】
請求項１乃至請求項３のいずれか一項において、
前記ベース部材は、第１貫通孔を有し、
前記ピクチャー部材は、第２貫通孔を有し、
前記フレイム部材は、第３貫通孔を有し、
前記ベース部材と前記フレイム部材との間に前記ピクチャー部材を挟み込んだ状態で、前記第１貫通孔と前記第２貫通孔と前記第３貫通孔とは略一致する観賞用物品。
【請求項５】
請求項１乃至請求項４のいずれか一項において、
前記フレイム部材は、壁部を周囲に有し、
前記壁部の高さは、前記ベース部材の厚さと前記ピクチャー部材の厚さの和と略一致している観賞用物品。
【請求項６】
請求項１乃至請求項５のいずれか一項において、
前記ベース部材と前記フレイム部材の一方は、複数個の凹部を周囲に有し、
前記ベース部材と前記フレイム部材の他方は、前記複数個の凹部それぞれに着脱可能に嵌め込まれる複数個の凸部を外周に有する観賞用物品。
【請求項７】
請求項１乃至請求項６のいずれか一項において、
組み立て後の前記観賞用物品を吊り下げ状態で設置するために該観賞用物品に着脱可能に取り付け可能な吊り下げ用部品をさらに備える観賞用物品。
【請求項８】
請求項７において、
前記吊り下げ用部品は、前記ベース部材と前記フレイム部材の少なくとも一方に着脱可能に嵌め込まれる複数個の嵌め込み部を有する観賞用物品。
【請求項９】
請求項１乃至請求項６のいずれか一項において、
組み立て後の前記観賞用物品を起立状態で設置するために該観賞用物品に着脱可能に取り付け可能な起立用部品をさらに備える観賞用物品。
【請求項１０】
請求項９において、
前記起立用部品は、被差し込み部を有する台座部品と、前記台座部品の被差し込み部に着脱可能に差し込まれる差し込み部を有し、且つ、組み立て後の前記観賞用物品を着脱可能に取り付けるための部位を有する支柱部品とを備える観賞用物品。
【請求項１１】
請求項１乃至請求項６のいずれか一項において、
組み立て後の前記観賞用物品を台座とし、該観賞用物品上にフィギュアを支持状態で設置するために該観賞用物品に着脱可能に取り付け可能な支持用部品をさらに備える観賞用物品。
【請求項１２】
請求項１１において、
前記支持用部品は、組み立て後の前記観賞用物品に着脱可能に取り付けられ、且つ、被差し込み部を有する補助部品と、前記補助部品の被差し込み部に着脱可能に差し込まれる差し込み部を有する第１支柱部品と、前記第１支柱部品に回転可能に取り付けられ、且つ、前記フィギュアを着脱可能に取り付けるための部位を有する第２支柱部品とを備える観賞用物品。
【請求項１３】
請求項１２において、
前記補助部品は、請求項７乃至請求項８の何れか１項に記載した吊り下げ用部品と共用の部品であり、
前記第１支柱部品は、請求項９に記載した支柱部品と共用の部品である観賞用物品。
【請求項１４】
請求項１乃至請求項６のいずれか一項において、
組み立て後の前記観賞用物品の２個以上を連結状態で併設するために該観賞用物品の２個に着脱可能に取り付け可能な連結用部品をさらに備える観賞用物品。
【請求項１５】
請求項１４において、
前記連結用部品は、２個の前記観賞用物品における前記ベース部材と前記フレイム部材の少なくとも一方に着脱可能に嵌め込まれる嵌め込み部を有する観賞用物品。
【手続補正２】
【補正対象書類名】明細書
【補正対象項目名】０００６
【補正方法】変更
【補正の内容】
【０００６】
本発明に係る観賞用物品は、ベース部材と、前記ベース部材に着脱可能なフレイム部材と、前記ベース部材と前記フレイム部材との間に着脱可能に挟み込み可能なピクチャー部材とを備え、前記フレイム部材は、前記ベース部材と前記フレイム部材との間に前記ピクチャー部材を挟み込んだ状態で、前記フレイム部材の外部から前記ピクチャー部材に設けられている絵柄の少なくとも一部を目視できるようにするための露出孔を有している。また、本発明に係る観賞用物品は、ベース部材と、前記ベース部材に着脱可能なフレイム部材と、前記ベース部材と前記フレイム部材との間に着脱可能に挟み込み可能なピクチャー部材とを備え、前記ピクチャー部材は、表面に絵柄が設けられ、前記フレイム部材は、前記絵柄の輪郭に対応した形状の露出孔を有する。
【手続補正書】
【提出日】平成29年12月28日(2017.12.28)
【手続補正１】
【補正対象書類名】特許請求の範囲
【補正対象項目名】全文
【補正方法】変更
【補正の内容】
【特許請求の範囲】
【請求項１】
遊技球が流下する遊技領域を形成する遊技盤と、その遊技盤に配置される複数の遊技部品と、前記遊技盤の盤面に配設され、前記遊技球が存在可能な遊技領域を区画するレール部材とを備え、前記レール部材は、帯状に形成される外レール部材と、その外レール部材と所定間隔をあけて配置される帯状の内レール部材とを有する遊技機において、
前記外レール部材および前記内レール部材は、側縁から前記外レール部材及び内レール部材の幅方向外側に向けて突設される嵌合ピンを備え、
前記遊技盤は、前記外レール部材および前記内レール部材の前記盤面への配置位置に対応して前記遊技盤の背面に設けられるレール受けと、前記レール受けの位置に形成され前記嵌合ピンが嵌挿される孔部とを備え、
前記レール受け及び前記レール部材は、前記遊技盤と他の遊技盤とから前記複数の遊技部品を少なくとも取り外した状態で前記遊技盤の背面と前記他の遊技盤の盤面とが対向するように前記遊技盤と前記他の遊技盤とを積み重ねた場合に、前記他の遊技盤に配置された前記レール部材の側縁に前記遊技盤の前記レール受けが当接する関係にあり、
前記レール受けは、前記他の遊技盤に配置された前記内レール部材の側縁に当接する第１レール受けと、前記遊技領域を挟んで前記内レール部材の反対側に位置し、前記他の遊技盤に配置された前記外レール部材の側縁に当接する第２レール受けとを備えることを特徴とする遊技機。
【請求項２】
基板ユニットを備えることを特徴とする請求項１記載の遊技機。
【手続補正２】
【補正対象書類名】明細書
【補正対象項目名】０００８
【補正方法】変更
【補正の内容】
【０００８】
この目的を達成するために請求項１記載の遊技機は、遊技球が流下する遊技領域を形成する遊技盤と、その遊技盤に配置される複数の遊技部品と、前記遊技盤の盤面に配設され、前記遊技球が存在可能な遊技領域を区画するレール部材とを備え、前記レール部材は、帯状に形成される外レール部材と、その外レール部材と所定間隔をあけて配置される帯状の内レール部材とを有するものであり、前記外レール部材および前記内レール部材は、側縁から前記外レール部材及び内レール部材の幅方向外側に向けて突設される嵌合ピンを備え、前記遊技盤は、前記外レール部材および前記内レール部材の前記盤面への配置位置に対応して前記遊技盤の背面に設けられるレール受けと、前記レール受けの位置に形成され前記嵌合ピンが嵌挿される孔部とを備え、前記レール受け及び前記レール部材は、前記遊技盤と前記他の遊技盤とから前記複数の遊技部品を少なくとも取り外した状態で前記遊技盤の背面と前記他の遊技盤の盤面とが対向するように前記遊技盤と前記他の遊技盤とを積み重ねた場合に、前記他の遊技盤に配置された前記レール部材の側縁に前記遊技盤の前記レール受けが当接する関係にあり、前記レール受けは、前記他の遊技盤に配置された前記内レール部材の側縁に当接する第１レール受けと、前記遊技領域を挟んで前記内レール部材の反対側に位置し、前記他の遊技盤に配置された前記外レール部材の側縁に当接する第２レール受けとを備える。
【手続補正３】
【補正対象書類名】明細書
【補正対象項目名】０００９
【補正方法】変更
【補正の内容】
【０００９】
請求項２記載の遊技機は、請求項１記載の遊技機において、基板ユニットを備える。
【手続補正４】
【補正対象書類名】明細書
【補正対象項目名】０３３２
【補正方法】変更
【補正の内容】
【０３３２】
１                                パチンコ機（遊技機）
３０，１３０，５３０，５６０，５７０，５８０  遊技盤（他の遊技盤）
５３０ａ                          盤面
３１                              外レール部（盤面部品、レール部材の一部、外レール部材）
３１ａ，３２ａ                    嵌合ピン
３２                              内レール部（盤面部品、レール部材の一部、内レール部材）
３４ スルーゲート（遊技部品）
３５ 可変入賞装置（遊技部品）
３６ スルーチャッカー（始動口、遊技部品）
３７ 入賞口（遊技部品）
３８ 一般入賞口（遊技部品）
４３ 可変表示ユニット（遊技部品）
４５ 第１制御基板ユニット（基板ユニット）
４７ センターフレーム（遊技部品）
６８                              孔部
６８ａ，６９ａ                    突出部（背面側当接部、レール受け）
７０                              肉厚部（板部の一部）
７１                              傾斜面部（板部の一部）
７２                              肉薄部（板部の一部）
５３１ｃ，５３１ｄ，５３１ｆ      外周縁レール受け（背面側当接部）
５３２，５３４                    レール受け（背面側当接部、第１レール受け、第２レール受け）
５３２ａ１，５３２ｂ１，５３４ｂ  受け面
５３２ｃ，５３４ｃ                受け部（第１受け部）
５３３                            レール受け（背面側当接部、第２レール受け）
５３３ａ                          受け部（第２受け部）
５３６                            釘
５３８                            通路形成部材（盤面部品、レール部材）
ＰＥ 遊技領域
【手続補正書】
【提出日】平成29年12月28日(2017.12.28)
【手続補正１】
【補正対象書類名】特許請求の範囲
【補正対象項目名】全文
【補正方法】変更
【補正の内容】
【特許請求の範囲】
【請求項１】
遊技球が流下する遊技領域を形成する遊技盤と、その遊技盤に配置される複数の遊技部品と、前記遊技盤の盤面に配設され、前記遊技球が存在可能な領域を区画する帯状のレール部材と、そのレール部材で区画された領域内に植設される釘とを備える遊技機において、
前記遊技盤は、平板状に形成され、前記釘が盤面に植設される板部と、その板部の外周縁から背面側に立設される外周縁補強リブと、前記レール部材の前記盤面への配置位置に対応して前記板部の外周縁に設けられる外周縁レール受けと、前記レール部材の前記盤面への配置位置に対応して前記板部の背面に設けられるレール受けと、前記板部に貫通形成され前記領域から前記遊技球を外部へ案内する案内部と、その案内部の周囲に位置し前記板部の背面に立設されるリブとを備え、
前記レール部材は、前記案内部の位置で前記遊技盤の外周縁側へ向かって突出された突出部を備え、
前記外周縁レール受け及び前記レール部材は、前記遊技盤と他の遊技盤とから前記複数の遊技部品を少なくとも取り外した状態で前記遊技盤の背面と前記他の遊技盤の盤面とが対向するように前記遊技盤と前記他の遊技盤とを積み重ねた場合に、前記他の遊技盤に配置されたレール部材の側縁の一部に前記遊技盤の前記外周縁レール受けが当接する関係にあり、
前記レール受け及び前記レール部材は、前記遊技盤と前記他の遊技盤とから前記複数の遊技部品を少なくとも取り外した状態で前記遊技盤の背面と前記他の遊技盤の盤面とが対向するように前記遊技盤と前記他の遊技盤とを積み重ねた場合に、前記他の遊技盤に配置されたレール部材の側縁に前記遊技盤の前記レール受けが当接する関係にあり、
前記レール受けは、前記他の遊技盤に配置されたレール部材の側縁に当接する受け部と、その受け部から前記遊技盤の厚さ方向に突設され、前記他の遊技盤のレール部材の側面と対向する対向部とを備え、
前記リブは、前記レール部材の前記盤面への配置位置に対応して凹設される逃げ部を備え、その逃げ部の凹設底面が前記受け部よりも前記遊技盤の盤面側に設定されることを特徴とする遊技機。
【請求項２】
基板ユニットを備えることを特徴とする請求項１記載の遊技機。
【手続補正２】
【補正対象書類名】明細書
【補正対象項目名】０００８
【補正方法】変更
【補正の内容】
【０００８】
この目的を達成するために請求項１記載の遊技機は、遊技球が流下する遊技領域を形成する遊技盤と、その遊技盤に配置される複数の遊技部品と、前記遊技盤の盤面に配設され、前記遊技球が存在可能な領域を区画する帯状のレール部材と、そのレール部材で区画された領域内に植設される釘とを備える遊技機において、前記遊技盤は、平板状に形成され、前記釘が盤面に植設される板部と、その板部の外周縁から背面側に立設される外周縁補強リブと、前記レール部材の前記盤面への配置位置に対応して前記板部の外周縁に設けられる外周縁レール受けと、前記レール部材の前記盤面への配置位置に対応して前記板部の背面に設けられるレール受けと、前記板部に貫通形成され前記領域から前記遊技球を外部へ案内する案内部と、その案内部の周囲に位置し前記板部の背面に立設されるリブとを備え、前記レール部材は、前記案内部の位置で前記遊技盤の外周縁側へ向かって突出された突出部を備え、前記外周縁レール受け及び前記レール部材は、前記遊技盤と他の遊技盤とから前記複数の遊技部品を少なくとも取り外した状態で前記遊技盤の背面と前記他の遊技盤の盤面とが対向するように前記遊技盤と前記他の遊技盤とを積み重ねた場合に、前記他の遊技盤に配置されたレール部材の側縁の一部に前記遊技盤の前記外周縁レール受けが当接する関係にあり、前記レール受け及び前記レール部材は、前記遊技盤と前記他の遊技盤とから前記複数の遊技部品を少なくとも取り外した状態で前記遊技盤の背面と前記他の遊技盤の盤面とが対向するように前記遊技盤と前記他の遊技盤とを積み重ねた場合に、前記他の遊技盤に配置されたレール部材の側縁に前記遊技盤の前記レール受けが当接する関係にあり、前記レール受けは、前記他の遊技盤に配置されたレール部材の側縁に当接する受け部と、その受け部から前記遊技盤の厚さ方向に突設され、前記他の遊技盤のレール部材の側面と対向する対向部とを備え、前記リブは、前記レール部材の前記盤面への配置位置に対応して凹設される逃げ部を備え、その逃げ部の凹設底面が前記受け部よりも前記遊技盤の盤面側に設定される。
【手続補正３】
【補正対象書類名】明細書
【補正対象項目名】０００９
【補正方法】変更
【補正の内容】
【０００９】
請求項２記載の遊技機は、請求項１記載の遊技機において、基板ユニットを備える。
【手続補正４】
【補正対象書類名】明細書
【補正対象項目名】０３３１
【補正方法】変更
【補正の内容】
【０３３１】
１                                パチンコ機（遊技機）
３０，１３０，５３０，５６０，５７０，５８０  遊技盤（他の遊技盤）
５３０ａ                          盤面
３１                              外レール部（レール部材の一部）
３２                              内レール部（レール部材の一部）
３２ａ                            湾出部（突出部）
３４ スルーゲート（遊技部品）
３５ 可変入賞装置（遊技部品）
３６ スルーチャッカー（始動口、遊技部品）
３７ 入賞口（遊技部品）
３８ 一般入賞口（遊技部品）
３９                              アウト口（案内部）
４３ 可変表示ユニット（遊技部品）
４５ 第１制御基板ユニット（基板ユニット）
４７ センターフレーム（遊技部品）
６８ａ，６９ａ                    突出部（レール受け）
７０                              肉厚部（板部の一部）
７１                              傾斜面部（板部の一部）
７２                              肉薄部（板部の一部）
７３，５３１                      外周縁補強リブ
５３１ｃ，５３１ｄ，５３１ｆ      外周縁レール受け
５３２，５３３，５３４            レール受け
５３２ｃ                          受け部
５３２ａ１，５３２ｂ１            受け面（対向部）
５３５                            補強リブ（リブ）
５３５ａ                          逃げ部
５３６                            釘
５３８                            通路形成部材（レール部材）
【手続補正書】
【提出日】平成29年12月12日(2017.12.12)
【手続補正１】
【補正対象書類名】特許請求の範囲
【補正対象項目名】全文
【補正方法】変更
【補正の内容】
【特許請求の範囲】
【請求項１】
互いに異なる遊技の進行条件が設定された第１遊技状態および第２遊技状態が少なくとも設けられ、これら第１遊技状態および第２遊技状態を含むいずれかの遊技状態にて遊技が進行する遊技機であって、
遊技球が流下する遊技領域が形成された遊技盤と、
前記遊技領域に遊技球を発射する発射手段と、
前記発射手段によって発射された遊技球が進入可能な第１始動領域および第２始動領域と、
前記第１始動領域または前記第２始動領域への遊技球の進入を条件として、複数の停止図柄の中から、いずれかの停止図柄を決定する図柄決定手段と、
前記図柄決定手段によって停止図柄が決定されると、該停止図柄を図柄表示部に停止表示させるまでの時間である変動時間を決定する変動時間決定手段と、
前記第１始動領域への遊技球の進入を契機として停止図柄が決定された場合、第１の図柄表示部において図柄の変動表示を行い、前記変動時間が経過すると該第１の図柄表示部に停止図柄を停止表示させ、前記第２始動領域への遊技球の進入を契機として停止図柄が決定された場合、第２の図柄表示部において図柄の変動表示を行い、前記変動時間が経過すると該第２の図柄表示部に停止図柄を停止表示させる図柄表示制御手段と、
前記停止図柄として所定の小当たり図柄が前記図柄表示部に停止表示されると、前記遊技領域に設けられた大入賞口が開放される小当たり遊技を実行する特定遊技実行手段と、
少なくとも前記小当たり遊技中に前記大入賞口に遊技球が入球すると、賞球を払い出す払出制御手段と、
少なくとも図柄の変動表示中および前記小当たり遊技中の演出を実行制御する演出実行制御手段と、
を備え、
前記図柄決定手段は、
前記第１の図柄表示部および前記第２の図柄表示部のいずれにおいても図柄の変動表示が行われていない場合に、前記第１始動領域または前記第２始動領域への遊技球の進入を契機として停止図柄の決定処理を実行可能であり、
前記第１の図柄表示部において図柄が変動表示中であって、前記第２の図柄表示部において図柄の変動表示が行われていない場合に、前記第２始動領域への遊技球の進入を契機として停止図柄の決定処理を実行可能であり、
前記第２の図柄表示部において図柄が変動表示中であって、前記第１の図柄表示部において図柄の変動表示が行われていない場合に、前記第１始動領域への遊技球の進入を契機として停止図柄の決定処理を実行可能であり、
遊技状態が前記第１遊技状態に設定されている場合には、前記第２の図柄表示部の方が、前記第１の図柄表示部よりも、図柄の変動表示の変動時間の平均が長く、
遊技状態が前記第２遊技状態に設定されている場合には、前記第２始動領域への遊技球の進入を契機として実行される前記小当たり遊技によって、遊技球の発射数よりも前記払出制御手段によって払い出される賞球数が多くなるように、前記図柄決定手段によって前記小当たり図柄が決定される確率が設定されており、
前記演出実行制御手段は、
少なくとも前記第２遊技状態において、前記小当たり遊技による賞球に基づく情報を継続して表示することを特徴とする遊技機。
【手続補正２】
【補正対象書類名】明細書
【補正対象項目名】０００８
【補正方法】変更
【補正の内容】
【０００８】
上記課題を解決するために、本発明の遊技機は、互いに異なる遊技の進行条件が設定された第１遊技状態および第２遊技状態が少なくとも設けられ、これら第１遊技状態および第２遊技状態を含むいずれかの遊技状態にて遊技が進行する遊技機であって、遊技球が流下する遊技領域が形成された遊技盤と、前記遊技領域に遊技球を発射する発射手段と、前記発射手段によって発射された遊技球が進入可能な第１始動領域および第２始動領域と、前記第１始動領域または前記第２始動領域への遊技球の進入を条件として、複数の停止図柄の中から、いずれかの停止図柄を決定する図柄決定手段と、前記図柄決定手段によって停止図柄が決定されると、該停止図柄を図柄表示部に停止表示させるまでの時間である変動時間を決定する変動時間決定手段と、前記第１始動領域への遊技球の進入を契機として停止図柄が決定された場合、第１の図柄表示部において図柄の変動表示を行い、前記変動時間が経過すると該第１の図柄表示部に停止図柄を停止表示させ、前記第２始動領域への遊技球の進入を契機として停止図柄が決定された場合、第２の図柄表示部において図柄の変動表示を行い、前記変動時間が経過すると該第２の図柄表示部に停止図柄を停止表示させる図柄表示制御手段と、前記停止図柄として所定の小当たり図柄が前記図柄表示部に停止表示されると、前記遊技領域に設けられた大入賞口が開放される小当たり遊技を実行する特定遊技実行手段と、少なくとも前記小当たり遊技中に前記大入賞口に遊技球が入球すると、賞球を払い出す払出制御手段と、少なくとも図柄の変動表示中および前記小当たり遊技中の演出を実行制御する演出実行制御手段と、を備え、前記図柄決定手段は、前記第１の図柄表示部および前記第２の図柄表示部のいずれにおいても図柄の変動表示が行われていない場合に、前記第１始動領域または前記第２始動領域への遊技球の進入を契機として停止図柄の決定処理を実行可能であり、前記第１の図柄表示部において図柄が変動表示中であって、前記第２の図柄表示部において図柄の変動表示が行われていない場合に、前記第２始動領域への遊技球の進入を契機として停止図柄の決定処理を実行可能であり、前記第２の図柄表示部において図柄が変動表示中であって、前記第１の図柄表示部において図柄の変動表示が行われていない場合に、前記第１始動領域への遊技球の進入を契機として停止図柄の決定処理を実行可能であり、遊技状態が前記第１遊技状態に設定されている場合には、前記第２の図柄表示部の方が、前記第１の図柄表示部よりも、図柄の変動表示の変動時間の平均が長く、遊技状態が前記第２遊技状態に設定されている場合には、前記第２始動領域への遊技球の進入を契機として実行される前記小当たり遊技によって、遊技球の発射数よりも前記払出制御手段によって払い出される賞球数が多くなるように、前記図柄決定手段によって前記小当たり図柄が決定される確率が設定されており、前記演出実行制御手段は、少なくとも前記第２遊技状態において、前記小当たり遊技による賞球に基づく情報を継続して表示することを特徴とする。
【手続補正書】
【提出日】平成30年3月12日(2018.3.12)
【手続補正１】
【補正対象書類名】特許請求の範囲
【補正対象項目名】全文
【補正方法】変更
【補正の内容】
【特許請求の範囲】
【請求項１】
車両（２０）に備えられる車両用空調装置（１０）であって、
物体の表面温度を、当該物体からの輻射に基づいて検知する温度検知部（３１０）と、
前記温度検知部によって表面温度が検知される領域、である被検知領域の位置を変化させるよう、前記温度検知部を搖動させる搖動機構部（３２０）と、
前記搖動機構部の動作を制御する制御部（１００）と、を備え、
前記制御部は、車室内における熱負荷の大きさに基づいて前記搖動機構部の動作を変化させるものであり、
前記制御部は、
前記熱負荷が大きいときには前記搖動機構部の動作を停止させ、
乗員の表面温度又は前記車室内の気温、の変化率に基づいて、前記搖動機構部の動作を変化させる、車両用空調装置。
【請求項２】
前記制御部は、
前記変化率が小さいときには、前記搖動機構部における搖動の周期を長くするか、前記搖動機構部における搖動の振幅を小さくするか、もしくは前記搖動機構部における搖動の速度を小さくする、請求項１に記載の車両用空調装置。
【請求項３】
車両（２０）に備えられる車両用空調装置（１０）であって、
物体の表面温度を、当該物体からの輻射に基づいて検知する温度検知部（３１０）と、
前記温度検知部によって表面温度が検知される領域、である被検知領域の位置を変化させるよう、前記温度検知部を搖動させる搖動機構部（３２０）と、
前記搖動機構部の動作を制御する制御部（１００）と、を備え、
前記制御部は、車室内における熱負荷の大きさに基づいて前記搖動機構部の動作を変化させるものであり、
前記制御部は、
前記熱負荷が大きいときには前記搖動機構部の動作を停止させ、
前記車両の走行状態に基づいて前記搖動機構部の動作を変化させる、車両用空調装置。
【請求項４】
前記制御部は、
前記車両が走行中であるときには、前記搖動機構部における搖動の周期を長くするか、前記搖動機構部における搖動の振幅を小さくするか、もしくは前記搖動機構部における搖動の速度を小さくする、請求項３に記載の車両用空調装置。
【請求項５】
前記制御部は、
前記車両が直進しているときには、前記搖動機構部における搖動の周期を長くするか、前記搖動機構部における搖動の振幅を小さくするか、もしくは前記搖動機構部における搖動の速度を小さくする、請求項３に記載の車両用空調装置。
【請求項６】
車両（２０）に備えられる車両用空調装置（１０）であって、
物体の表面温度を、当該物体からの輻射に基づいて検知する温度検知部（３１０）と、
前記温度検知部によって表面温度が検知される領域、である被検知領域の位置を変化させるよう、前記温度検知部を搖動させる搖動機構部（３２０）と、
前記搖動機構部の動作を制御する制御部（１００）と、を備え、
前記制御部は、車室内における熱負荷の大きさに基づいて前記搖動機構部の動作を変化させるものであり、
前記制御部は、
前記熱負荷が大きいときには前記搖動機構部の動作を停止させるものであり、
運転者の視線が向いている方向、である視線方向を検知する視線検知部（４００）を更に備え、
前記制御部は、
前記視線方向に基づいて前記搖動機構部の動作を変化させる、車両用空調装置。
【請求項７】
前記制御部は、
前記視線方向が前記温度検知部に向かう方向となっているときには、前記搖動機構部における搖動の周期を長くするか、前記搖動機構部における搖動の振幅を小さくするか、もしくは前記搖動機構部における搖動の速度を小さくする、請求項６に記載の車両用空調装置。
【請求項８】
前記制御部は、
前記視線方向が前記温度検知部に向かう方向となる頻度が所定の閾値を越えたときには、前記搖動機構部における搖動の周期を長くするか、前記搖動機構部における搖動の振幅を小さくするか、もしくは前記搖動機構部における搖動の速度を小さくする、請求項６に記載の車両用空調装置。
【請求項９】
車両（２０）に備えられる車両用空調装置（１０）であって、
物体の表面温度を、当該物体からの輻射に基づいて検知する温度検知部（３１０）と、
前記温度検知部によって表面温度が検知される領域、である被検知領域の位置を変化させるよう、前記温度検知部を搖動させる搖動機構部（３２０）と、
前記搖動機構部の動作を制御する制御部（１００）と、を備え、
前記制御部は、車室内における熱負荷の大きさに基づいて前記搖動機構部の動作を変化させるものであり、
前記制御部は、
前記熱負荷が大きいときには前記搖動機構部の動作を停止させるものであり、
前記制御部は、
前記車室内における騒音の大きさに基づいて前記搖動機構部の動作を変化させる、車両用空調装置。
【請求項１０】
前記制御部は、
前記車室内における騒音が小さいときには、前記搖動機構部における搖動の周期を長くするか、前記搖動機構部における搖動の振幅を小さくするか、もしくは前記搖動機構部における搖動の速度を小さくする、請求項９に記載の車両用空調装置。
【手続補正２】
【補正対象書類名】明細書
【補正対象項目名】０００７
【補正方法】変更
【補正の内容】
【０００７】
上記課題を解決するために、本発明に係る車両用空調装置は、物体の表面温度を、当該物体からの輻射に基づいて検知する温度検知部（３１０）と、温度検知部によって表面温度が検知される領域、である被検知領域の位置を変化させるよう、温度検知部を搖動させる搖動機構部（３２０）と、搖動機構部の動作を制御する制御部（１００）と、を備える。制御部は、車室内における熱負荷の大きさに基づいて搖動機構部の動作を変化させるものである。制御部は、熱負荷が大きいときには搖動機構部の動作を停止させ、乗員の表面温度又は車室内の気温、の変化率に基づいて、搖動機構部の動作を変化させる。
【手続補正書】
【提出日】平成30年4月17日(2018.4.17)
【手続補正１】
【補正対象書類名】明細書
【補正対象項目名】０００８
【補正方法】変更
【補正の内容】
【０００８】
【図１】電動ステアリングロック装置の斜視図である。
【図２】電動ステアリングロック装置の分解斜視図である。
【図３】カバーを省略した状態での図１の３矢視図である。
【図４】図３の４−４線断面図である。
【図５】図３の５−５線断面図である。
【図６】ロックピンが係合位置にある状態での図３の６−６線断面図である。
【図７】図５の７−７線断面図である。
【図８】カバーをボディ側から見た斜視図である。
【図９】カバーをボディ側から見た正面図である。
【図１０】図９の１０−１０線断面図である。
【図１１】ロックピンが係合位置にある状態での図４の１１−１１線断面図である。
【図１２】トリガピンおよびロック保持部材の作動状態を図１１の１２−１２線に沿って示す断面図である。
【図１３】締結部に関してトリガーピン固設部と反対側からの外力がカバーに作用したときの締結部での力の流れを図９に対応して（ａ）で示すとともにカバーの破断状況を図３に対応して（ｂ）で示す図である。
【図１４】上方からカバーに外力が作用したときの締結部での力の流れを図９に対応して示す図である。
【図１５】締結部に関してトリガーピン固設部側からの外力がカバーに作用したときの締結部での力の流れを図９に対応して示す図である。
【図１６】下方からカバーに外力が作用したときの締結部での力の流れを図９に対応して（ａ）で示すとともにカバーの破断状況を図３に対応して（ｂ）で示す図である。
【手続補正２】
【補正対象書類名】明細書
【補正対象項目名】００２０
【補正方法】変更
【補正の内容】
【００２０】
この実施の形態では、前記摺動孔２６の上方で該摺動孔２６と平行に延びて前記カバー２２側および前記摺動孔２６側に開放したカバー装着孔４６がボディ２１に形成されており、前記ボディ２１の上面２１ｃと、前記ロックピン１８との間に介在する平板状の第１のプロテクトカバー４５が、前記ロックピン１８をその上方から覆うようにして前記カバー装着孔４６内に挿入される。しかも前記カバー装着孔４６の前記カバー２２とは反対側の一端部は第１のプロテクトカバー４５を圧入するように形成されており、前記カバー装着孔４６の前記カバー２２側の端部で前記ボディ２１には、前記カバー装着孔４６の一端部に圧入、保持される第１のプロテクトカバー４５の上下方向でのがたつきを抑制するために、前記ロックピン１８とは反対側の一面に当接して第１のプロテクトカバー４５の他面をボディ２１側に押しつける一対の突部４７が一体に突設される。すなわち第１のプロテクトカバー４５は、カバー装着孔４６に圧入、固定されることになる。
【手続補正３】
【補正対象書類名】明細書
【補正対象項目名】００３６
【補正方法】変更
【補正の内容】
【００３６】
一方、横断面形状を矩形とした前記トリガーピン７８は、前記ボス８０にねじ部材８３で螺合されるとともに第１および第２位置決めピン８１，８２が挿通されるようにしたベース部７８ａを一体に有しており、前記トリガーピン固設部７９に前記ベース部７８ａが固定されることで前記トリガーピン７８が前記カバー２２に固設される。すなわちこの実施の形態では、前記カバー２２とは別部材である前記トリガーピン７８が前記カバー２２に固定されるのであるが、前記トリガーピン７８が前記カバー２２と一体に形成されるものであってもよい。
【手続補正４】
【補正対象書類名】図面
【補正対象項目名】図４
【補正方法】変更
【補正の内容】
【図４】
2017124724.tif 000001
【手続補正５】
【補正対象書類名】図面
【補正対象項目名】図５
【補正方法】変更
【補正の内容】
【図５】
2017124724.tif 000002
【手続補正６】
【補正対象書類名】図面
【補正対象項目名】図１１
【補正方法】変更
【補正の内容】
【図１１】
2017124724.tif 000003
【手続補正７】
【補正対象書類名】図面
【補正対象項目名】図１６
【補正方法】変更
【補正の内容】
【図１６】
2017124724.tif 000004
【手続補正書】
【提出日】平成30年6月21日(2018.6.21)
【手続補正１】
【補正対象書類名】特許請求の範囲
【補正対象項目名】全文
【補正方法】変更
【補正の内容】
【特許請求の範囲】
【請求項１】
メダル投入口から投入されたメダルを取り込むための取込経路と、
前記メダル投入口から投入されたメダルを返却するための返却経路と、
前記取込経路に沿って配置された複数の投入メダルセンサと、
前記メダル投入口から投入されたメダルの流下経路を、前記返却経路または前記取込経路のいずれかの流下経路に切り替える流路切替手段と、
前記メダル投入口を介して取り込まれクレジットとして貯留されているメダルが賭数の設定に用いられるように指示するためのベット操作手段と、
前記ベット操作手段の操作受付を有効又は無効に制御する操作受付制御手段と、
前記クレジットとして貯留されたメダルの精算を指示するためのメダル精算操作手段と、
前記メダル精算操作手段に対する操作に基づき、メダルの精算のための処理を行う精算処理手段と、を備え、
前記精算処理手段は、
前記複数の投入メダルセンサの何れかがメダルを検出中である場合に、前記メダル精算操作手段を無効化し、
前記複数の投入メダルセンサの何れもメダルを検出中でない場合に、前記メダル精算操作手段が操作されたことに基づいて、前記メダルの精算のための処理を行い、
前記操作受付制御手段は、前記メダルの精算のための処理の実行中において、前記ベット操作手段の操作受付を無効に制御し、
前記流路切替手段は、前記メダルの精算のための処理の実行中において、前記流下経路を前記返却経路に切り替える
遊技機。
【手続補正２】
【補正対象書類名】明細書
【補正対象項目名】０００６
【補正方法】変更
【補正の内容】
【０００６】
本発明に係る遊技機は、メダル投入口から投入されたメダルを取り込むための取込経路と、前記メダル投入口から投入されたメダルを返却するための返却経路と、前記取込経路に沿って配置された複数の投入メダルセンサと、前記メダル投入口から投入されたメダルの流下経路を、前記返却経路または前記取込経路のいずれかの流下経路に切り替える流路切替手段と、前記メダル投入口を介して取り込まれクレジットとして貯留されているメダルが賭数の設定に用いられるように指示するためのベット操作手段と、前記ベット操作手段の操作受付を有効又は無効に制御する操作受付制御手段と、前記クレジットとして貯留されたメダルの精算を指示するためのメダル精算操作手段と、前記メダル精算操作手段に対する操作に基づき、メダルの精算のための処理を行う精算処理手段と、を備え、前記精算処理手段は、前記複数の投入メダルセンサの何れかがメダルを検出中である場合に、前記メダル精算操作手段を無効化し、前記複数の投入メダルセンサの何れもメダルを検出中でない場合に、前記メダル精算操作手段が操作されたことに基づいて、前記メダルの精算のための処理を行い、前記操作受付制御手段は、前記メダルの精算のための処理の実行中において、前記ベット操作手段の操作受付を無効に制御し、前記流路切替手段は、前記メダルの精算のための処理の実行中において、前記流下経路を前記返却経路に切り替えるものである。